【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】
情報記録媒体に分散して記録されているデータファイルを再生する再生装置において、
再生するデータファイルを指定する指定手段と、
前記情報記録媒体に記録されている第１のテーブルを読み出して記憶する記憶手段と、
前記記憶手段によって記憶された前記第１のテーブルに基づいて、前記指定手段によって指定された前記データファイルの記録に使用されている前記情報記録媒体の単位記録領域アドレスを順方向に記録した第２のテーブルを生成する生成手段と、
前記生成手段によって生成された前記第２のテーブルを保持する保持手段と、
通常再生時、早送り再生時、および早戻し再生時のいずれの時においても、指示される前記単位記録領域アドレスに従い、前記情報記録媒体から前記データファイルを読み出す読み出し手段と、
前記読み出し手段に対して、前記保持手段によって保持された前記第２のテーブルを参照して、読み出す前記単位記録領域アドレスを指示する指示手段と
を含むことを特徴とする再生装置。
【請求項２】
前記指示手段は、通常再生時において、前記第２のテーブルに記録された前記単位記録領域アドレスを、順方向に１つずつ読み出して、前記読み出し手段に指示する
ことを特徴とする請求項１に記載の再生装置。
【請求項３】
前記指示手段は、早送り再生時において、前記第２のテーブルに記録された前記単位記録領域アドレスを、順方向に所定の数おきに読み出して、前記読み出し手段に指示する
ことを特徴とする請求項１に記載の再生装置。
【請求項４】
前記指示手段は、早戻し再生時において、前記第２のテーブルに記録された前記単位記録領域アドレスを、逆方向に所定の数おきに読み出して、前記読み出し手段に指示する
ことを特徴とする請求項１に記載の再生装置。
【請求項５】
情報記録媒体に分散して記録されているデータファイルを再生する再生装置の再生方法において、
再生するデータファイルを指定する指定ステップと、
前記情報記録媒体に記録されている第１のテーブルを読み出して記憶する記憶ステップと、
前記記憶ステップの処理で記憶された前記第１のテーブルに基づいて、前記指定ステップの処理で指定された前記データファイルの記録に使用されている前記情報記録媒体の単位記録領域アドレスを順方向に記録した第２のテーブルを生成する生成ステップと、
前記生成ステップの処理で生成された前記第２のテーブルを保持する保持ステップと、
通常再生時、早送り再生時、および早戻し再生時のいずれの時においても、指示される前記単位記録領域アドレスに従い、前記情報記録媒体から前記データファイルを読み出す読み出しステップと、
前記読み出しステップの処理に対して、前記保持ステップの処理で保持された前記第２のテーブルを参照して、読み出す前記単位記録領域アドレスを指示する指示ステップと
を含むことを特徴とする再生方法。
【請求項６】
情報記録媒体に分散して記録されているデータファイルを再生する再生装置のプログラムであって、
前記情報記録媒体に記録されている第１のテーブルを読み出して記憶する記憶ステップと、
前記記憶ステップの処理で記憶された前記第１のテーブルに基づいて、指定された前記データファイルの記録に使用されている前記情報記録媒体の単位記録領域アドレスを順方向に記録した第２のテーブルを生成する生成ステップと、
前記生成ステップの処理で生成された前記第２のテーブルを保持する保持ステップと、
通常再生時、早送り再生時、および早戻し再生時のいずれの時においても、指示される前記単位記録領域アドレスに従い、前記情報記録媒体から前記データファイルを読み出す読み出しステップと、
前記読み出しステップの処理に対して、前記保持ステップの処理で保持された前記第２のテーブルを参照して、読み出す前記単位記録領域アドレスを指示する指示ステップと
を含むことを特徴とするコンピュータが読み取り可能なプログラムが記録されている記録媒体。
【請求項７】
情報記録媒体に分散して記録されているデータファイルを再生する再生装置を制御するコンピュータに、
前記情報記録媒体に記録されている第１のテーブルを読み出して記憶する記憶ステップと、
前記記憶ステップの処理で記憶された前記第１のテーブルに基づいて、指定された前記データファイルの記録に使用されている前記情報記録媒体の単位記録領域アドレスを順方向に記録した第２のテーブルを生成する生成ステップと、
前記生成ステップの処理で生成された前記第２のテーブルを保持する保持ステップと、
通常再生時、早送り再生時、および早戻し再生時のいずれの時においても、指示される前記単位記録領域アドレスに従い、前記情報記録媒体から前記データファイルを読み出す読み出しステップと、
前記読み出しステップの処理に対して、前記保持ステップの処理で保持された前記第２のテーブルを参照して、読み出す前記単位記録領域アドレスを指示する指示ステップと
を含む処理を実行させることを特徴とするプログラム。
【手続補正２】
【補正対象書類名】明細書
【補正対象項目名】００２９
【補正方法】変更
【補正の内容】
【００２９】
【課題を解決するための手段】
本発明の再生装置は、再生するデータファイルを指定する指定手段と、情報記録媒体に記録されている第１のテーブルを読み出して記憶する記憶手段と、記憶手段によって記憶された第１のテーブルに基づいて、指定手段によって指定されたデータファイルの記録に使用されている情報記録媒体の単位記録領域アドレスを順方向に記録した第２のテーブルを生成する生成手段と、生成手段によって生成された第２のテーブルを保持する保持手段と、通常再生時、早送り再生時、および早戻し再生時のいずれの時においても、指示される単位記録領域アドレスに従い、情報記録媒体からデータファイルを読み出す読み出し手段と、読み出し手段に対して、保持手段によって保持された第２のテーブルを参照して、読み出す単位記録領域アドレスを指示する指示手段とを含むことを特徴とする。


【手続補正３】
【補正対象書類名】明細書
【補正対象項目名】００３３
【補正方法】変更
【補正の内容】
【００３３】
本発明の再生方法は、再生するデータファイルを指定する指定ステップと、情報記録媒体に記録されている第１のテーブルを読み出して記憶する記憶ステップと、記憶ステップの処理で記憶された第１のテーブルに基づいて、指定ステップの処理で指定されたデータファイルの記録に使用されている情報記録媒体の単位記録領域アドレスを順方向に記録した第２のテーブルを生成する生成ステップと、生成ステップの処理で生成された第２のテーブルを保持する保持ステップと、通常再生時、早送り再生時、および早戻し再生時のいずれの時においても、指示される単位記録領域アドレスに従い、情報記録媒体からデータファイルを読み出す読み出しステップと、読み出しステップの処理に対して、保持ステップの処理で保持された第２のテーブルを参照して、読み出す単位記録領域アドレスを指示する指示ステップとを含むことを特徴とする。


【手続補正４】
【補正対象書類名】明細書
【補正対象項目名】００３４
【補正方法】変更
【補正の内容】
【００３４】
本発明の記録媒体のプログラムは、情報記録媒体に記録されている第１のテーブルを読み出して記憶する記憶ステップと、記憶ステップの処理で記憶された第１のテーブルに基づいて、指定されたデータファイルの記録に使用されている情報記録媒体の単位記録領域アドレスを順方向に記録した第２のテーブルを生成する生成ステップと、生成ステップの処理で生成された第２のテーブルを保持する保持ステップと、通常再生時、早送り再生時、および早戻し再生時のいずれの時においても、指示される単位記録領域アドレスに従い、情報記録媒体からデータファイルを読み出す読み出しステップと、読み出しステップの処理に対して、保持ステップの処理で保持された第２のテーブルを参照して、読み出す単位記録領域アドレスを指示する指示ステップとを含むことを特徴とする。


【手続補正５】
【補正対象書類名】明細書
【補正対象項目名】００３５
【補正方法】変更
【補正の内容】
【００３５】
本発明のプログラムは、情報記録媒体に記録されている第１のテーブルを読み出して記憶する記憶ステップと、記憶ステップの処理で記憶された第１のテーブルに基づいて、指定されたデータファイルの記録に使用されている情報記録媒体の単位記録領域アドレスを順方向に記録した第２のテーブルを生成する生成ステップと、生成ステップの処理で生成された第２のテーブルを保持する保持ステップと、通常再生時、早送り再生時、および早戻し再生時のいずれの時においても、指示される単位記録領域アドレスに従い、情報記録媒体からデータファイルを読み出す読み出しステップと、読み出しステップの処理に対して、保持ステップの処理で保持された第２のテーブルを参照して、読み出す単位記録領域アドレスを指示する指示ステップとを含む処理をコンピュータに実行させることを特徴とする。


【手続補正６】
【補正対象書類名】明細書
【補正対象項目名】００３６
【補正方法】変更
【補正の内容】
【００３６】
本発明の再生装置および方法、並びにプログラムにおいては、情報記録媒体に記録されている第１のテーブルが読み出されて記憶され、記憶された第１のテーブルに基づいて、指定されたデータファイルの記録に使用されている情報記録媒体の単位記録領域アドレスを順方向に記録した第２のテーブルが生成される。そして、通常再生時、早送り再生時、および早戻し再生時のいずれの時においても、第２のテーブルを参照して、読み出す単位記録領域アドレスが指示され、その指示に従って情報記録媒体からデータファイルが読み出される。